(57)【要約】【課題】被評価人の個人的な特性や事情等が加味された体力評価が可能であるとともに状況の変化に応じた柔軟な体力評価を行なうことができる健康管理支援システムを提供することを課題とする。【解決手段】本発明は、体力値を測定時の生後期間である年齢とともに体力データとして記憶する記憶部１８と、評価するために測定した体力値である測定体力値を入力する入力手段１７とを備え、体力データに基づき算出された体力値と年齢との相関式に基づいて、入力手段１７により入力された測定体力値の評価を行なうことにより、健康管理を支援する健康管理支援システムにおいて、評価時前までに記憶部１８に蓄積された被評価人の体力データである蓄積個人体力データを記憶部１８から読込むとともに該蓄積個人体力データから該被評価人の体力値と年齢との相関式を評価時にリアルタイムに算出する相関関係検出手段２４を設け、相関関係検出手段２４によりリアルタイムに算出された前記相関式に基づいて被評価人の測定体力値の評価を行なう。【選択図】図３
2009258810.tif 000002
【特許請求の範囲】
【請求項１】
体力値を測定時の生後期間である年齢とともに体力データとして記憶する記憶部（１８）と、評価するために測定した体力値である測定体力値を入力する入力手段（１７）とを備え、体力データに基づき算出された体力値と年齢との相関式に基づいて、入力手段（１７）により入力された測定体力値の評価を行なうことにより、健康管理を支援する健康管理支援システムにおいて、評価時前までに記憶部（１８）に蓄積された被評価人の体力データである蓄積個人体力データを記憶部（１８）から読込むとともに該蓄積個人体力データから該被評価人の体力値と年齢との相関式を評価時にリアルタイムに算出する相関関係検出手段（２４）を設け、相関関係検出手段（２４）によりリアルタイムに算出された前記相関式に基づいて被評価人の測定体力値の評価を行なう健康管理支援システム。
【請求項２】
相関関係検出手段（２４）が蓄積個人体力データに基づいて対数線形モデルによる回帰分析によって相関式を算出する請求項１の健康管理支援システム
【請求項３】
相関関係検出手段（２４）が前記相関式に対して生後からの経過時間を所定期間で上昇させた評価式を算出し、該評価式に基づいて体力評価を行なう請求項１又は２の健康管理支援システム
【請求項４】
体力データが歩行速度データ、握力データ又は片足立ち時間データである請求項１，２又は３の健康管理支援システム。
【請求項５】
相関関係検出手段（２４）が前記相関式により評価時の被評価人の年齢に基づいて想定体力値を算出し、想定体力値と測定体力値とを比較する比較手段（２６）を設けることにより測定体力値の評価を行なう請求項１，２，３又は４の健康管理支援システム。
【発明の詳細な説明】
【技術分野】
【０００１】
この発明は、高齢者や介護施設利用者等の健康管理に用いられる健康管理支援システムに関する。
【背景技術】
【０００２】
握力や歩行速度等の体力値をコンピュータに入力し、コンピュータの演算処理により入力された体力値の評価を自動的に行なう健康管理支援システムが従来公知である。この健康管理支援システムによれば、人手を介して行なっていた体力評価作業が自動化されるので、高齢者や介護施設利用者等の運動プログラムの作成作業等が簡易化されるというメリットがある一方で、どのような手段により体力値の評価を行なうかが問題となる。
【０００３】
上記問題に対して、体力値を測定時の生後期間である年齢とともに体力データとして記憶する記憶部と、評価時に測定した体力値である測定体力値を入力する入力手段とを備え、体力データに基づき算出された体力値と年齢の相関式に基づいて、入力手段により入力された測定体力値の評価を行なうことにより、健康管理を支援する特許文献１に示す健康管理支援システムが公知になっている。
【特許文献１】特開２００７−２８６８５４号公報
【発明の開示】
【発明が解決しようとする課題】
【０００４】
上記文献の健康管理支援システムは、相関式を利用することにより年齢を加味した体力値の評価を行なうことができる一方で、相関式が一般の高齢者や介護施設使用者等から得られた体力データに基づいて画一的に決定されるため、加齢に伴う体力変化が被評価人の個人的な特性や事情等により左右されるにもかかわらず、この個人的特性や事情が加味された評価になっていないという課題がある他、相関式が記憶部等に固定的に記憶されているため、被評価人の病気等、状況の変化に対応した柔軟な評価を行なうことが困難であるという課題もある。
本発明は、上記課題を解決し、被評価人の個人的な特性や事情等が加味された体力評価が可能であるとともに状況の変化に応じた柔軟な体力評価を行なうことができる健康管理支援システムを提供することを目的とする。
【課題を解決するための手段】
【０００５】
上記課題を解決するため本発明の健康管理支援システムは、第１に、体力値を測定時の生後期間である年齢とともに体力データとして記憶する記憶部１８と、評価するために測定した体力値である測定体力値を入力する入力手段１７とを備え、体力データに基づき算出された体力値と年齢との相関式に基づいて、入力手段１７により入力された測定体力値の評価を行なうことにより、健康管理を支援する健康管理支援システムにおいて、評価時前までに記憶部１８に蓄積された被評価人の体力データである蓄積個人体力データを記憶部１８から読込むとともに該蓄積個人体力データから該被評価人の体力値と年齢との相関式を評価時にリアルタイムに算出する相関関係検出手段２４を設け、相関関係検出手段２４によりリアルタイムに算出された前記相関式に基づいて被評価人の測定体力値の評価を行なうことを特徴としている。
【０００６】
第２に、相関関係検出手段２４が蓄積個人体力データに基づいて対数線形モデルによる回帰分析によって相関式を算出することを特徴としている。
【０００７】
第３に、相関関係検出手段２４が前記相関式に対して生後からの経過時間を所定期間で上昇させた評価式を算出し、該評価式に基づいて体力評価を行なうことを特徴としている。
【０００８】
第４に、体力データが歩行速度データ、握力データ又は片足立ち時間データであることを特徴としている。
【０００９】
第５に、相関関係検出手段２４が前記相関式により評価時の被評価人の年齢に基づいて想定体力値を算出し、想定体力値と測定体力値とを比較する比較手段２６を設けることにより測定体力値の評価を行なうことを特徴としている。
【発明の効果】
【００１０】
以上のように構成される本発明の健康管理システムによれば、評価時前までに記憶部に蓄積された被評価人の体力データである蓄積個人体力データに基づいて相関式が算出されるため、被評価人の個人的な特性や事情等を加味した体力評価を行なうことができるとともに、相関式が評価時に相関関係検出手段によりリアルタイムに算出されるため、被評価人の病気等、状況の変化に対応した柔軟な評価を行なうことが可能であるという効果がある。
【００１１】
また、相関関係検出手段が蓄積個人体力データに基づいて対数線形モデルによる回帰分析によって相関式を算出することにより、より精度の高い相関式を得ることが可能になるという効果がある。
【００１２】
さらに、相関関係検出手段が前記相関式に対して生後からの経過時間を所定期間で上昇させた評価式を算出し、該評価式に基づいて体力評価を行なうことにより、前記相関式と評価式の２式により体力評価を行なうことが可能であるため、より正確な体力評価を行なうことができるという効果がある。
【発明を実施するための最良の形態】
【００１３】
以下、図示する例に基づき、本発明の実施形態について説明する。
図１は、本発明を適用した健康管理支援システムの体調評価の概念図である。タッチパネルからなる表示画面を備えた端末（図示しない）を用いて、高齢者や介護施設利用者や施設等の従業員等からなるシステム利用ユーザ（ユーザ）が、自分自身又は施設利用者等（被評価人）の体調に関する所定項目をタッチ操作により入力すると、その被評価人の体調に関する評価が端末の表示画面に出力される。
【００１４】
具体的には、まず、体調入力画面１が表示される。この体調入力画面１には、「良い」、「まあまあ良い、」、「普通」、「あまり良くない」及び「良くない」の選択肢が表示がされ、被評価人の主観的体調状態に基づいて、上記選択肢の中から近い状態のものを選択する。選択は、ユーザがタッチパネルにおける選択肢表示箇所をタッチすることにより行なう。
【００１５】
なお、「良い」が選択されると主観値として「５」の値が、「まあまあ良い」が選択されると主観値として「４」の値が、「普通」が選択されると主観値として「３」の値が、「あまり良くない」が選択されると主観値として「２」の値が、「良くない」が選択されると主観値として「１」の値が、健康管理支援システムに入力される。
【００１６】
続いて、体調入力画面２が表示される。この体調入力画面２は、１分当たり脈拍数（脈拍数）［拍／分］を表示する表示欄２ａと、表示欄２ａに少数点を含む数値を入力可能且つ表示欄２ａの数値を消去可能なボタン群２ｂと、表示欄２ａの脈拍数を本健康管理支援システムに入力する登録ボタン２ｃとを備えている。そして、該当箇所をタッチすることにより、被評価人の脈拍数が健康管理支援システムに入力される。
【００１７】
続いて、体調入力画面３が表示される。この体調入力画面３は、心臓の収縮期における血圧値（最高血圧値）［ｍｍＨｇ］を表示する表示欄３ａと、表示欄３ａに少数点を含む数値を入力可能且つ表示欄３ａの数値を消去可能なボタン群３ｂと、表示欄３ａの最高血圧値を本健康管理支援システムに入力する登録ボタン３ｃとを備えている。そして、該当箇所をタッチすることにより、被評価人の最高血圧値が健康管理支援システムに入力される。
【００１８】
続いて、体調入力画面４が表示される。この体調入力画面４は、心臓の拡張期における血圧値（最低血圧値）［ｍｍＨｇ］を表示する表示欄４ａと、表示欄４ａに少数点を含む数値を入力可能且つ表示欄４ａの数値を消去可能なボタン群４ｂと、表示欄４ａの最低血圧値を本健康管理支援システムに入力する登録ボタン４ｃとを備えている。そして、該当箇所をタッチすることにより、被評価人の最低血圧値が健康管理支援システムに入力される。
【００１９】
このようにして、主観値、脈拍数、最高血圧値及び最低血圧値を入力すると、その日の運動ができるか否かが、体調評価画面６に「運動しても差支えありません。」や「運動を控えて下さい。」等のメッセージで出力される。
【００２０】
図２は、本発明を適用した健康管理支援システムの体力評価の概念図で、（Ａ）は体力値が歩行速度の場合の概念図であり、（Ｂ）は体力値が握力の場合の概念図であり、（Ｃ）は体力値が片足立ち時間の場合の概念図である。体調評価の場合と同様に、端末を用いて被評価人の所定の体力値に関する所定項目をタッチ操作により入力すると、その被評価人の体力に関する評価が端末の表示画面に出力される。
【００２１】
同図（Ａ）に示す体力入力画面７によって体力値である歩行速度［ｍ／分］を入力する。体力入力画面７は、歩行速度を表示する表示欄７ａと、表示欄７ａに少数点を含む数値を入力可能且つ表示欄７ａの数値を消去可能なボタン群７ｂと、表示欄７ａの歩行速度を本健康管理支援システムに入力する登録ボタン７ｃとを備えている。そして、該当箇所をタッチすることにより、評価時に測定した被評価人の体力値（測定体力値）である歩行速度が健康管理支援システムに入力される。
【００２２】
そして、歩行速度が本健康管理支援システムに入力されると、本健康管理支援システムの後述する蓄積個人体力データ体力評価部８（図３）によって、本健康管理支援システムに蓄積された被評価人の全歩行速度データに基づいた体力評価が行なわれ、その結果が体力評価画面９の個人評価欄９ａに表示されるとともに、本健康管理支援システムの後述する蓄積一般体力データ体力評価部１１（図３）によって、本健康管理支援システムに蓄積された全体歩行速度データに基づいた体力評価が行なわれ、その結果が体力評価画面９の一般評価欄９ｂに表示される。
【００２３】
なお、個人評価欄９ａには、被評価人の歩行速度変化（体力変化）の評価が「悪化」、「現状維持」又は「好転」のメッセージの何れかにより表示される。一方、一般評価欄９ｂには、被評価人の歩行速度（体力値）の評価が「低い」、「普通」又は「高い」のメッセージの何れかにより表現される他、被評価人の実年齢と、被評価人の歩行速度（体力値）に基づき算出される体力年齢とが表示される。
【００２４】
同図（Ｂ）に示す体力入力画面１２によって体力値である左右の握力平均値（握力）［ｋｇ］を入力する。体力入力画面１２は、握力を表示する表示欄１２ａと、表示欄１２ａに少数点を含む数値を入力可能且つ表示欄１２ａの数値を消去可能なボタン群１２ｂと、表示欄１２ａの握力を本健康管理支援システムに入力する登録ボタン１２ｃとを備えている。そして、該当箇所をタッチすることにより、評価時に測定した被評価人の体力値（測定体力値）である握力が健康管理支援システムに入力される。
【００２５】
そして、握力が本健康管理支援システムに入力されると、上記蓄積個人体力データ体力評価部８によって、本健康管理支援システムに蓄積された被評価人の全握力データに基づいた体力評価が行なわれ、その結果が体力評価画面１３の個人評価欄１３ａに表示されるとともに、上記蓄積一般体力データ体力評価部１１によって、本健康管理支援システムに蓄積された全握力データに基づいた体力評価が行なわれ、その結果が体力評価画面１３の一般評価欄１３ｂに表示される。
【００２６】
なお、個人評価欄１３ａには、被評価人の握力変化（体力変化）の評価が「悪化」、「現状維持」又は「好転」のメッセージの何れかにより表示される。一方、一般評価欄１３ｂには、被評価人の握力（体力値）の評価が「低い」、「普通」又は「高い」のメッセージの何れかにより表現される他、被評価人の実年齢と、被評価人の握力（体力値）に基づき算出される体力年齢とが表示される。
【００２７】
同図（Ｃ）に示す体力入力画面１４によって体力値である開眼片足立ち時間（片足立ち時間）［ｓ］を入力する。体力入力画面１４は、片足立ち時間を表示する表示欄１４ａと、表示欄１４ａに少数点を含む数値を入力可能且つ表示欄１４ａの数値を消去可能なボタン群１４ｂと、表示欄１４ａの片足立ち時間を本健康管理支援システムに入力する登録ボタン１４ｃとを備えている。そして、該当箇所をタッチすることにより、評価時に測定した被評価人の体力値（測定体力値）である片足立ち時間が健康管理支援システムに入力される。
【００２８】
そして、片足立ち時間が本健康管理支援システムに入力されると、上記蓄積個人体力データ体力評価部８によって、本健康管理支援システムに蓄積された被評価人の全片足立ち時間データに基づいた体力評価が行なわれ、その結果が体力評価画面１６の個人評価欄１６ａに表示されるとともに、上記蓄積一般体力データ体力評価部１１によって、本健康管理支援システムに蓄積された全片足立ち時間データに基づいた体力評価が行なわれ、その結果が体力評価画面１６の一般評価欄１６ｂに表示される。
【００２９】
なお、個人評価欄１６ａには、被評価人の片足立ち時間変化（体力変化）の評価が「悪化」、「現状維持」又は「好転」のメッセージの何れかにより表示される。一方、一般評価欄１６ｂには、被評価人の片足立ち時間（体力値）の評価が「低い」、「普通」又は「高い」のメッセージの何れかにより表現される他、被評価人の実年齢と、被評価人の片足立ち時間（体力値）に基づき算出される体力年齢とが表示される。
【００３０】
以上のようにして被評価人の体調評価と体力評価を行なう。なお、本健康管理支援システムは端末のみで成立するスタンドアローン形式としてもよいし、クライアント（端末）とサーバからなるサーバ・クライアント方式としてもよい。
【００３１】
次に、本健康管理支援システムの具体的構成について詳述する。
図３は、本健康管理支援システムの構成を示すブロック図である。本健康管理支援システムは、入出力手段１７（入力手段）と、記憶部１８（ハードディスク，データベース部）と、蓄積個人体力データ体力評価部８（体力評価手段）と、蓄積一般体力データ体力評価部１１（体力評価手段）と、前述の体調評価を行なう体調評価手段１９とを備えている。
【００３２】
上記入力手段１７は、前述した端末のタッチパネル等により構成されており、少なくとも、前述した体調入力画面１，２，３，４の入力値を記憶部１８に記憶する機能と、前述した体調評価画面６に評価を出力する機能と、前述した体力入力画面７，１２，１４の入力値を記憶部１８に記憶する機能と、前述した体力評価画面９，１３，１６に体力評価を出力する機能とを備えており、その他、データベース１８の更新、書換、消去機能等を有している。
【００３３】
上記記憶部１８は、ＳＱＬやＯｒａｃｌｅ等のリレーショナブルデータベースとして、体力データテーブル２１、体調データテーブル２２及び個人データテーブル２３を備えている。
【００３４】
図４は、記憶部のデータ構造を示す概念図である。個人データテーブル２３は、フィールドとして、主キーである「個人ＩＤ」と、個人の氏名を記録する「氏名」と、その個人の生年月日を記録する「生年月日」とを有している。
【００３５】
体力データテーブル２１は、フィールドとして、主キーである「体力ＩＤ」と、歩行速度データを記録する「歩行速度」と、握力データを記憶する「握力」と、片足立ち時間データを記憶する「片足立ち時間」と、これらの体力値の測定年月日を記録する「測定年月日」と、これらの体力値（歩行速度，握力，片足立ち時間）が誰のものかを個人データテーブル２３から参照する「個人ＩＤ」とを有している。
【００３６】
このため、個人データテーブル２３は体力データテーブル２１によって参照されることになり、個人データテーブル２３の個人の生年月日と体力データテーブル２１の測定年月日によって体力値（歩行速度，握力，片足立ち時間）をその測定時における被測定者の生後からの期間（生後期間）である年齢とともに体力データとして記憶部１８に記憶されておくことができる。そして、記憶部には多数の個人の体力データが経時的に逐次記憶されている。
【００３７】
すなわち、歩行速度データ、握力データ、片足時間データは体力データとして記憶部１８に保存されている。くわえて、本健康管理支援システム（記憶部１８）に蓄積された被評価人の全歩行速度データ、全握力データ及び全片足立ち時間データは、記憶部１８に経時的に逐次蓄積された被評価人の体力データである蓄積個人体力データになる。一方、記憶部１８に蓄積された全歩行速度データ、全握力データ及び全片足立ち時間データは、記憶部に経時的に逐次蓄積された体力データである一般個人体力データになる。
【００３８】
体調データテーブル２２は、フィールドとして、主キーである「体調ＩＤ」と、主観値（体調値）を記録する「主観」と、脈拍数（体調値）を記録する「脈拍数」と、最高血圧値（体調値）を記録する「最高血圧」と、最低血圧値（体調値）を記録する「最低血圧値」と、これらの体調値の測定年月日を記録する「測定年月日」と、これらの体調値が誰のものかを個人データテーブル２３から参照する「個人ＩＤ」とを有している。
【００３９】
このため、個人データテーブル２３は体調データテーブル２２によって参照されることになり、個人データテーブル２３の個人の生年月日と体調データテーブル２１の測定年月日によって体調値をその測定時における被測定者の年齢とともに体調データとして記憶部１８に記憶されておくことができる。そして、記憶部には多数の個人の体調データが経時的に逐次記憶されている。
【００４０】
上記体調評価手段１９は、上記複数種類の体調データに基づいて、被測定者の体調評価を行う。図５は体調評価手段の処理フロー図である。体調評価手段は処理が開始されると、記憶部１８から必要な情報を取得しつつ、ステップＳ１から処理を進める。ステップＳ１では、被評価人の主観値が２以下であるか否かの検出を行い、２以下である場合にはステップＳ８に進む。ステップＳ８では、被評価人に運動禁止を促すため、体調評価画面６「運動を控えて下さい」のメッセージを出力し（図１参照）、処理を終了させる。
【００４１】
ステップＳ１において、被評価人の主観値が２よりも大きい場合には、ステップＳ２に進む。ステップＳ２では、被評価人の最高血圧値が１８０ｍｍＨｇ以上であるか否かを検出し、以上である場合にはステップＳ８に進み、未満である場合にはステップＳ３に進む。ステップＳ３では、被評価人の最低血圧値が１１０ｍｍＨｇ以上であるか否かを検出し、以上である場合にはステップＳ８に進み、未満である場合にはステップＳ４に進む。
【００４２】
ステップＳ４では被評価人の測定日の最高血圧値と測定日前日の最高血圧値との差が３０ｍｍＨｇ以上、又は、被評価人の測定日の最低血圧値と測定日前日の最低血圧値との差が３０ｍｍＨｇ以上である場合にはステップＳ８に進み、それ以外の場合にはステップＳ５に進む。ステップＳ５では、被評価人の脈拍数が１１０拍／分以上であることが検出されるとステップＳ８に進み、検出されないとステップＳ６に進む。
【００４３】
ステップＳ６では、被評価人の脈拍数が４０拍／分未満であることが検出されるとステップＳ８に進み、検出されないとステップＳ７に進む。ステップＳ７では、被評価人に運動ＯＫな旨を伝えるため、体調評価画面６「運動しても差支えありません。」のメッセージを出力し（図１参照）、処理を終了させる。
【００４４】
上記蓄積個人体力データ体力評価部８は、評価時前までの蓄積個人体力データを記憶部１８から読込むとともにこの蓄積個人体力データから該被評価人の体力値と年齢との相関式を評価時にリアルタイムに算出する相関関係検出手段２４と、比較手段２６とを備えている。なお、蓄積個人体力データ体力評価部８は、体力データである歩行速度データと、握力データと、片足立ちデータとのそれぞれ全てで同一の処理を行う。このそれぞれで行われる処理について以下に説明する。
【００４５】
図６は、蓄積個人体力データ体力評価部の処理フロー図である。蓄積個人体力データ体力評価部は処理が開始されるステップＳ１１に進む。ステップＳ１１では、相対関係検出手段２４が、記憶部１８や入出力手段１７を介して、被評価人の評価時（現在）の年齢Ｘｎｏｗと、入出力手段１７を介して入力された測定体力値Ｙｎｏｗを取得し、ステップＳ１２に進む。
【００４６】
ステップＳ１２では、相対関係検出手段２４が記憶部１８から被評価人の蓄積個人体力データを取得し、ステップＳ１３に進む。ステップＳ１３では、ステップＳ１２で取得した蓄積個人体力データを用いて、相関関係検出手段２４が、対数線形モデルによる回帰分析を行い、被評価人における体力値と年齢との相関関係を示す回帰分析式（相関式）を算出し、ステップＳ１４に進む。なお、この最の回帰分析式は以下のようになる。
【００４７】
【数１】
2009258810.tif 000003
【００４８】
上記下記分析によりＡ１とＢ１が算出される。ちなみに、ｘは被評価人の年齢であり、ｙは回帰分析式から算出される年齢ｘでの体力値（個人的想定体力値，想定体力値）である。
【００４９】
ステップＳ１４では、Ａ１は０以上であるか否かの検出を行い、０以上であればステップＳ１５に進み、０の負の値であればステップＳ１６に進む。ステップＳ１６では、高齢者において加齢とともに減少する体力値が増加に転じているため又は後述するように体力値の減少率がこれまでに比べ抑制されているため、被評価人の体力変化が好転している旨を伝えるべく、体力評価画面９，１３，１６の個人評価欄９ａ，１３ａ，１６ａに「好転」のメッセージを出力し、処理を終了させる。
【００５０】
ステップＳ１６では、前記相関式に対して生後からの経過時間を所定期間で上昇させた評価式を相関関係検出手段２４によって算出し、ステップＳ１７に進む。評価式は具体的には以下のようになる。
【００５１】
【数２】
2009258810.tif 000004
【００５２】
Ｃは加齢速度を増加させる基準年齢を表し、ｋはその増加率を表す。例えば、Ｃが６８歳で、ｋが１．５の場合、６８歳から被評価人の体力が今までの１．５倍のスピードで加齢に伴い減少していくことを意味し、評価式と回帰分析式の関係は図７に示すようになる。この評価式でのｙは、評価式から算出される年齢ｘでの体力値（個人的下限体力値，下限体力値）である。なお、被評価人の評価時の年齢は基準年齢よりも大きい方が、正確な評価を行う上で、好ましい。
【００５３】
ステップＳ１７では、ステップＳ１３の回帰分析式から年齢Ｘｎｏｗでの個人的想定体力値を算出し、この個人的想定体力値よりもステップＳ１１の測定体力値Ｙｎｏｗの方が値が大きいか否かを比較手段２６により検出し、大きい場合にはステップＳ１５に進み、それ以外の場合にはステップＳ１８に進む。
【００５４】
ステップＳ１８では、年齢Ｘｎｏｗでの個人的想定体力値及び個人的下限値を算出し、測定体力値Ｙｎｏｗがこの個人的想定体力値以下且つ個人的下限値以上の範囲にあるか否かを比較手段２６により検出し、ある場合には、ステップＳ１９に進み、ない場合には、ステップＳ２０に進む。
【００５５】
ステップＳ２０では、想定通り加齢とともに体力が減少しているとみなして、被評価人の体力変化が現状維持である旨を伝えるべく、体力評価画面９，１３，１６の個人評価欄９ａ，１３ａ，１６ａに「現状維持」のメッセージを出力し、処理を終了させる。
【００５６】
ステップＳ２１では、想定以上に加齢とともに体力が減少しているとみなして、被評価人の体力変化が悪化している旨を伝えるべく、体力評価画面９，１３，１６の個人評価欄９ａ，１３ａ，１６ａに「悪化」のメッセージを出力し、処理を終了させる。
【００５７】
上記蓄積一般体力データ体力評価部１１は、評価時前までの蓄積一般体力データを記憶部１８から読込むとともにこの蓄積一般体力データから一般的な体力値と年齢との相関式を評価時にリアルタイムに算出する相関関係検出手段２７と、比較手段２８とを備えている。なお、蓄積一般体力データ体力評価部８は、体力データである歩行速度データと、握力データと、片足立ちデータとのそれぞれ全てで同一の処理を行う。このそれぞれで行われる処理について以下に説明する。
【００５８】
図８は、蓄積一般体力データ体力評価部の処理フロー図である。蓄積一般体力データ体力評価部は処理が開始されるステップＳ３１に進む。ステップＳ３１では、相対関係検出手段２７が、記憶部１８や入出力手段１７を介して、被評価人の評価時（現在）の年齢Ｘｎｏｗと、入出力手段１７を介して入力された測定体力値Ｙｎｏｗを取得し、ステップＳ３２に進む。
【００５９】
ステップＳ３２では、相対関係検出手段２７が記憶部１８から蓄積一般体力データを取得し、ステップＳ３３に進む。ステップＳ３３では、ステップＳ３２で取得した蓄積一般体力データを用いて、相関関係検出手段２７が、対数線形モデルによる回帰分析を行い、体力値と年齢との相関関係を一般的に示す回帰分析式（相関式）を算出し、ステップＳ３４に進む。なお、この最の回帰分析式は以下のようになる。
【００６０】
【数３】
2009258810.tif 000005
【００６１】
上記下記分析によりＡ２とＢ２が算出される。なお、一般的な傾向では加齢とともに体力値は減少するため、Ａ２は必ず０より小さく、Ｂ２は必ず０より大きくなる。ちなみに、ｘは被評価人の年齢であり、ｙは回帰分析式から算出される年齢ｘでの体力値（一般的想定体力値）である。
【００６２】
ステップＳ３４では、ステップＳ３３の回帰分析式に対して生後からの経過時間を所定期間で上昇させた評価式を相関関係検出手段２７によって算出し、ステップＳ３５に進む。評価式は具体的には以下のようになる。
【００６３】
【数４】
2009258810.tif 000006
【００６４】
Ｃとｋは前述した通りである。くわえて、この評価式でのｙは、評価式から算出される年齢ｘでの体力値（一般的下限体力値）である。なお、被評価人の評価時の年齢は基準年齢よりも大きい方が、正確な評価を行う上で、好ましい。
【００６５】
ステップＳ３５では、ステップＳ１３の回帰分析式から年齢Ｘｎｏｗでの一般的想定体力値を算出し、この一般的想定体力値よりもステップＳ３１の測定体力値Ｙｎｏｗの方が値が大きいか否かを比較手段２８により検出し、大きい場合にはステップＳ３６に進み、それ以外の場合にはステップＳ３７に進む。
【００６６】
ステップ３６では、一般人に比べて年齢に対する体力があるとみなして、被評価人の体力が高い旨を伝えるべく、体力評価画面９，１３，１６の一般評価欄９ｂ，１３ｂ，１６ｂに「高い」のメッセージを出力し、ステップＳ４０に進む。ステップＳ４０では、Ｙｎｏｗでの回帰分析式での年齢を体力年齢として一般評価欄９ｂ，１３ｂ，１６ｂに表示し、処理を終了させる。
【００６７】
ステップＳ３７では、年齢Ｘｎｏｗでの一般的想定体力値及び一般的下限値を算出し、測定体力値Ｙｎｏｗがこの個人的想定体力値以下且つ個人的下限値以上の範囲にあるか否かを比較手段２８により検出し、ある場合には、ステップＳ３８に進み、ない場合には、ステップＳ３９に進む。
【００６８】
ステップＳ３８では、体力値が年齢に対して普通であるとみなして、被評価人の体力値が普通である旨を伝えるべく、体力評価画面９，１３，１６の一般評価欄９ｂ，１３ｂ，１６ｂに「普通」のメッセージを出力し、ステップＳ４０に進む。
【００６９】
ステップＳ３９では、体力値が年齢に対して低いとみなして、被評価人の体力値が低いことを伝えるべく、体力評価画面９，１３，１６の一般評価欄９ｂ，１３ｂ，１６ｂに「低い」のメッセージを出力し、ステップＳ４０に進む。
【００７０】
以上によって被評価人の絶対的体力評価も合わせて行い、被評価人の体力評価の制御を向上させる。
【図面の簡単な説明】
【００７１】
【図１】本発明を適用した健康管理支援システムの体調評価の概念図である。
【図２】本発明を適用した健康管理支援システムの体力評価の概念図で、（Ａ）は体力値が歩行速度の場合の概念図であり、（Ｂ）は体力値が握力の場合の概念図であり、（Ｃ）は体力値が片足立ち時間の場合の概念図である。
【図３】本健康管理支援システムの構成を示すブロック図である。
【図４】記憶部のデータ構造を示す概念図である。
【図５】体調評価手段の処理フロー図である。
【図６】蓄積個人体力データ体力評価部の処理フロー図である。
【図７】年齢と体力値との相関関係を示す特性グラフである。
【図８】蓄積一般体力データ体力評価部の処理フロー図である。
【符号の説明】
【００７２】
１７  入出力手段（入力手段）
１８  記憶部（ハードディスク，データベース部）
２４  相関関係検出手段
２６  比較手段
【図１】
2009258810.tif 000007
【図２】
2009258810.tif 000008
【図３】
2009258810.tif 000009
【図４】
2009258810.tif 000010
【図５】
2009258810.tif 000011
【図６】
2009258810.tif 000012
【図７】
2009258810.tif 000013
【図８】
2009258810.tif 000014